(57)【特許請求の範囲】
【請求項１】
中性子を検出する中性子検出器を備える中性子測定装置であって、
前記中性子検出器が、中性子を減速する減速材と、中性子を受けて発光するシンチレータと、前記シンチレータからの光を導く導光体とを一組とするシンチレーション検出部を備えると共に、複数組の前記シンチレーション検出部を積層して成る球殻多層構造を有し、且つ、
前記球殻多層構造が、バルク状の前記導光体と、当該導光体の外周に積層される前記シンチレータと、当該導光体の外周に積層される前記減速材とから成るコアを備え、
前記減速材が、外周面に溝を有し、且つ、
前記導光体が、波長シフトファイバであり、前記溝に沿って前記減速材の外周面に巻き付けられて配置されることを特徴とする中性子測定装置。
【請求項２】
中性子を検出する中性子検出器を備える中性子測定装置であって、
前記中性子検出器が、中性子を減速する減速材と、中性子を受けて発光するシンチレータと、前記シンチレータからの光を導く導光体とを一組とするシンチレーション検出部を備えると共に、複数組の前記シンチレーション検出部を積層して成る球殻多層構造を有し、
前記球殻多層構造が、中空構造を有し、
前記減速材が、外周面に溝を有し、且つ、
前記導光体が、波長シフトファイバであり、前記溝に沿って前記減速材の外周面に巻き付けられて配置されることを特徴とする中性子測定装置。
【請求項３】
中性子を検出する中性子検出器を備える中性子測定装置であって、
前記中性子検出器が、中性子を減速する減速材と、中性子を受けて発光するシンチレータと、前記シンチレータからの光を導く導光体とを一組とするシンチレーション検出部を備えると共に、複数組の前記シンチレーション検出部を積層して成る球殻多層構造を有し、
前記球殻多層構造が、減速材あるいは低速中性子を検出する計数管を中心部に備え、
前記減速材が、外周面に溝を有し、且つ、
前記導光体が、波長シフトファイバであり、前記溝に沿って前記減速材の外周面に巻き付けられて配置されることを特徴とする中性子測定装置。
【請求項４】
前記導光体が、前記減速材の外周面に対して鞠巻き状に巻き付けられる請求項１〜３のいずれか一つに記載の中性子測定装置。
【請求項５】
前記導光体が、前記減速材の外周面の緯線方向および経線方向に巻き付けられる請求項１〜３のいずれか一つに記載の中性子測定装置。
【請求項６】
前記導光体が、前記減速材の外周面の経線方向にのみ巻き付けられる請求項１〜３のいずれか一つに記載の中性子測定装置。
【請求項７】
前記中性子検出器が、５層以上の前記シンチレーション検出部を備える請求項１〜６のいずれか一つに記載の中性子測定装置。
【請求項８】
前記中性子検出器が、最外層に光遮断層を有する請求項１〜７のいずれか一つに記載の中性子測定装置。
【発明の詳細な説明】
【技術分野】
【０００１】
この発明は、中性子測定装置に関し、さらに詳しくは、中性子測定を効率的に行い得る中性子測定装置に関する。
【背景技術】
【０００２】
従来の中性子測定装置には、正負電極間にガス体を充填した計数部と減速体とを交互に積層した構成を採用するものがある。かかる構成では、各計測部がエネルギー特性の異なる中性子をそれぞれ検出して計数することにより、中性子測定に要する作業時間を短縮できるので好ましい。かかる従来の中性子測定装置として、特許文献１に記載される技術が知られている。
【先行技術文献】
【特許文献】
【０００３】
【特許文献１】特開昭６１−２６９０８９号公報
【発明の概要】
【発明が解決しようとする課題】
【０００４】
この発明は、中性子測定を効率的に行い得る中性子測定装置を提供することを目的とする。
【課題を解決するための手段】
【０００５】
上記目的を達成するため、この発明にかかる中性子測定装置は、中性子を検出する中性子検出器を備える中性子測定装置であって、前記中性子検出器が、中性子を減速する減速材と、中性子を受けて発光するシンチレータと、前記シンチレータからの光を導く導光体とを一組とするシンチレーション検出部を備えると共に、複数組の前記シンチレーション検出部を積層して成る球殻多層構造を有し、且つ、前記球殻多層構造が、バルク状の前記導光体と、当該導光体の外周に積層される前記シンチレータと、当該導光体の外周に積層される前記減速材とから成るコアを備え、前記減速材が、外周面に溝を有し、且つ、前記導光体が、波長シフトファイバであり、前記溝に沿って前記減速材の外周面に巻き付けられて配置されることを特徴とする。
また、この発明にかかる中性子測定装置は、中性子を検出する中性子検出器を備える中性子測定装置であって、前記中性子検出器が、中性子を減速する減速材と、中性子を受けて発光するシンチレータと、前記シンチレータからの光を導く導光体とを一組とするシンチレーション検出部を備えると共に、複数組の前記シンチレーション検出部を積層して成る球殻多層構造を有し、前記球殻多層構造が、中空構造を有し、前記減速材が、外周面に溝を有し、且つ、前記導光体が、波長シフトファイバであり、前記溝に沿って前記減速材の外周面に巻き付けられて配置されることを特徴とする。
また、この発明にかかる中性子測定装置は、中性子を検出する中性子検出器を備える中性子測定装置であって、前記中性子検出器が、中性子を減速する減速材と、中性子を受けて発光するシンチレータと、前記シンチレータからの光を導く導光体とを一組とするシンチレーション検出部を備えると共に、複数組の前記シンチレーション検出部を積層して成る球殻多層構造を有し、前記球殻多層構造が、減速材あるいは低速中性子を検出する計数管を中心部に備え、前記減速材が、外周面に溝を有し、且つ、前記導光体が、波長シフトファイバであり、前記溝に沿って前記減速材の外周面に巻き付けられて配置されることを特徴とする。
【発明の効果】
【０００６】
この発明にかかる中性子測定装置では、中性子検出器に入射した中性子束が、中性子検出器の最外層からコアに向かって各シンチレーション検出部を透過する。このとき、各シンチレータの光を各導光体を介してそれぞれ取得して計数することにより、中性子束の多様なエネルギー特性を１つの中性子検出器を用いて一時に測定できる。これにより、異なるエネルギー特性に対応した複数の中性子検出器を交換しつつ測定する構成と比較して、中性子測定を効率的に行い得る利点がある。
【図面の簡単な説明】
【０００７】
【図１】図１は、この発明の実施の形態にかかる中性子測定装置を示す構成図である。
【図２】図２は、図１に記載した中性子測定装置の中性子検出器の構成を示す説明図である。
【図３】図３は、図２に記載した中性子検出器の導光体の巻き付け構造の変形例を示す説明図である。
【図４】図４は、図２に記載した中性子検出器の導光体の巻き付け構造の変形例を示す説明図である。
【発明を実施するための形態】
【０００８】
以下、この発明につき図面を参照しつつ詳細に説明する。なお、この実施の形態によりこの発明が限定されるものではない。また、この実施の形態の構成要素には、発明の同一性を維持しつつ置換可能かつ置換自明なものが含まれる。また、この実施の形態に記載された複数の変形例は、当業者自明の範囲内にて任意に組み合わせが可能である。
【０００９】
［中性子測定装置］
図１は、この発明の実施の形態にかかる中性子測定装置を示す構成図である。図２は、図１に記載した中性子測定装置の中性子検出器の構成を示す説明図である。これらの図において、図１は、中性子測定装置の構成を模式的に示している。また、図２は、中性子検出器の導光体の巻き付け構造を簡略に示している。
【００１０】
中性子測定装置（中性子スペクトロメータ）１は、中性子スペクトルを測定する装置である。この中性子測定装置１は、例えば、中性子束の測定、中性子エネルギースペクトルの測定などに用いられ、特に、相互に異なる中性子エネルギーをそれぞれ測定できる。また、中性子測定装置１は、例えば、原子力発電プラントにおける放射化評価技術として採用され得る。
【００１１】
中性子測定装置１は、中性子検出器２と、計測器３とを備える（図１参照）。
【００１２】
中性子検出器２は、中性子を検出するシンチレーション検出器である。この中性子検出器２は、減速材２１Ａ〜２１Ｅと、シンチレータ２２Ａ〜２２Ｅと、導光体２３Ａ〜２３Ｅとを有する。
【００１３】
減速材２１Ａ〜２１Ｅは、中性子を減速する部材であり、例えば、ポリエチレン、パラフィン、エポキシ樹脂、アクリル、プラスティック、カドミウムなどから構成される。シンチレータ２２Ａ〜２２Ｅは、中性子を受けて蛍光する部材であり、例えば、Ｌｉガラスシンチレータ、ＬｉＩシンチレータ、ＬｉＣａＡｌＦ６シンチレータ、リチウム化合物あるいはほう素化合物とＺｎＳ（Ａｇ）シンチレータとの混合物などから構成される。導光体２３Ａ〜２３Ｅは、対応するシンチレータ２２Ａ〜２２Ｅからの蛍光を導く部材であり、例えば、波長シフトファイバ、採光機能付与型光ファイバ、中空光ファイバ、ライトガイドなどから構成される。
【００１４】
また、中性子検出器２は、対応する減速材、シンチレータおよび導光体を一組とする、複数組のシンチレーション検出部２１Ａ〜２３Ａ、２１Ｂ〜２３Ｂ、２１Ｃ〜２３Ｃ、２１Ｄ〜２３Ｄ、２１Ｅ〜２３Ｅを備える。また、中性子検出器２は、これらのシンチレーション検出部２１Ａ〜２３Ａ、２１Ｂ〜２３Ｂ、２１Ｃ〜２３Ｃ、２１Ｄ〜２３Ｄ、２１Ｅ〜２３Ｅを積層して成る曲面多層構造を有する。
【００１５】
例えば、図１の構成では、中性子検出器２が、コア減速材２１Ａおよび第一減速材２１Ｂ〜第四減速材２１Ｅと、コアシンチレータ２２Ａおよび第一シンチレータ２２Ｂ〜第四シンチレータ２２Ｅと、コア導光体２３Ａおよび第一導光体２３Ｂ〜第四導光体２３Ｅとから構成されている。また、コア減速材２１Ａ、コアシンチレータ２２Ａおよびコア導光体２３Ａが一組のシンチレーション検出部を構成し、中性子検出器２の中心部に配置されている。また、第一減速材２１Ｂ〜第四減速材２１Ｅ、第一シンチレータ２２Ｂ〜第四シンチレータ２２Ｅおよび第一導光体２３Ｂ〜第四導光体２３Ｅが、４組のシンチレーション検出部を構成し、これらがコアとなるシンチレーション検出部２１Ａ〜２３Ａの外周に積層されて配置されている。これにより、中性子検出器２が、全体として球殻多層構造を有する球体となっている。
【００１６】
この中性子検出器２の製造工程では、まず、バルク状のコア導光体２３Ａが、中性子検出器２の芯として配置される。なお、このコア導光体２３Ａに代えて、検出部あるいは減速材が配置されても良い（図示省略）。次に、球殻状のコア減速材２１Ａが、このコア導光体２３Ａを外周から包み込むように配置される。このとき、コア導光体２３Ａの外周面あるいはコア減速材２１Ａの内周面に、コアシンチレータ２２Ａが塗布される。これにより、コア減速材２１Ａ、コアシンチレータ２２Ａおよびコア導光体２３Ａを一組とするシンチレーション検出部２１Ａ〜２３Ａが構成される。
【００１７】
次に、ファイバ状（波長シフトファイバ）の第一導光体２３Ｂが、コア減速材２１Ａの外周面に巻き付けられて配置される（図２参照）。このとき、コア減速材２１Ａの外周面に溝（図示省略）が形成され、この溝に沿って第一導光体２３Ｂが巻き付けられる。これにより、ファイバ状の第一導光体２３Ｂを球殻状のコア減速材２１Ａに巻き付ける作業が容易となる。次に、球殻状の第一減速材２１Ｂが、第一導光体２３Ｂおよびコア減速材２１Ａを外周から包み込むように配置される。また、第一減速材２１Ｂとコア減速材２１Ａとの間に、第一シンチレータ２２Ｂの層が形成される。このとき、（ａ）第一シンチレータ２２Ｂがコア減速材２１Ａの外周面に塗布された後に、第一導光体２３Ｂがコア減速材２１Ａに巻き付けられる構成、（ｂ）第一導光体２３Ｂがコア減速材２１Ａに巻き付けられた後に、第一導光体２３Ｂおよびコア減速材２１Ａの外周面に第一シンチレータ２２Ｂが塗布される構成、ならびに、（ｃ）第一減速材２１Ｂの内周面に第一シンチレータ２２Ｂが塗布される構成のいずれかの構成が採用され得る。これにより、第一減速材２１Ｂ、第一シンチレータ２２Ｂおよび第一導光体２３Ｂを一組とする層状のシンチレーション検出部２１Ｂ〜２３Ｂが構成される。
【００１８】
以下、同様に、第二減速材２１Ｃ、第二シンチレータ２２Ｃおよび第二導光体２３Ｃが第一減速材２１Ｂの外周に配置され、第三減速材２１Ｄ、第三シンチレータ２２Ｄおよび第三導光体２３Ｄが第二減速材２１Ｃの外周に配置され、第四減速材２１Ｅ、第四シンチレータ２２Ｅおよび第四導光体２３Ｅが第三減速材２１Ｄの外周に配置される（図１参照）。これにより、コアとなるシンチレーション検出部２１Ａ〜２３Ａの外周に、４層のシンチレーション検出部２１Ｂ〜２３Ｂ、２１Ｃ〜２３Ｃ、２１Ｄ〜２３Ｄ、２１Ｅ〜２３Ｅが積層されて、球殻多層構造を有する中性子検出器２が構成される。なお、各導光体２３Ａ〜２３Ｅの出力側端部は、中性子検出器２の下方から引き出されて、計測器３側に接続される。
【００１９】
計測器３は、中性子検出器２の出力信号に基づいて所定のデータを取得するための機器である。この計測器３は、高感度な光電変換素子（例えば、ＰＭＴ（Photomultiplier Tube）、ＡＰＤ（アバランシェ・フォトダイオード）、Ｓｉ−ＰＭ（シリコン・Photomultiplier））３１Ａ〜３１Ｅと、波形整形回路３２Ａ〜３２Ｅと、計数回路３３Ａ〜３３Ｅと、データ処理系３４とを有する。
【００２０】
ＰＭＴ３１Ａ〜３１Ｅは、中性子検出器２の出力信号（導光体２３Ａ〜２３Ｅからの蛍光）を電気信号に変換して増幅する光電子増倍管であり、対応する中性子検出器２の導光体２３Ａ〜２３Ｅにそれぞれ接続される。波形整形回路３２Ａ〜３２Ｅは、ＰＭＴ３１Ａ〜３１Ｅの出力信号の波形を整形する回路であり、対応するＰＭＴ３１Ａ〜３１Ｅにそれぞれ接続される。計数回路３３Ａ〜３３Ｅは、波形整形回路３２Ａ〜３２Ｅの出力信号を計数する回路であり、対応する波形整形回路３２Ａ〜３２Ｅにそれぞれ接続される。データ処理系３４は、計数回路３３Ａ〜３３Ｅの出力信号に基づいて所定のデータ（例えば、中性子束の測定データ、中性子エネルギースペクトルの測定データなど）を生成する装置であり、各計数回路３３Ａ〜３３Ｅに接続される。
【００２１】
例えば、図１の構成では、中性子検出器２が５組のシンチレーション検出部を有するため、これに対応して、計測器３が５組の計測部（ＰＭＴ３１Ａ〜３１Ｅ、波形整形回路３２Ａ〜３２Ｅおよび計数回路３３Ａ〜３３Ｅ）を有している。そして、これらの計測部が、対応するシンチレーション検出部に接続されている。
【００２２】
この中性子測定装置１では、中性子検出器２に入射した中性子束が、中性子検出器２の最外層からコアに向かって各シンチレーション検出部２１Ａ〜２３Ａ、２１Ｂ〜２３Ｂ、２１Ｃ〜２３Ｃ、２１Ｄ〜２３Ｄ、２１Ｅ〜２３Ｅを透過する。このとき、中性子が減速材２１Ａ〜２１Ｅで減速するため、より大きなエネルギーを有する中性子ほどコア側に到達し、小さなエネルギーを有する中性子は、途中の減速材２１Ａ〜２１Ｅで減速して消滅する。また、中性子がシンチレータ２２Ａ〜２２Ｅを透過すると、そのシンチレータが蛍光する。また、これらの蛍光が、各シンチレータ２２Ａ〜２２Ｅに対応する導光体２３Ａ〜２３Ｅにより集光されて計測器３に取得される。したがって、計測器３が、各シンチレータ２２Ａ〜２２Ｅの蛍光を計数してデータ処理することにより、中性子検出器２に入射した中性子束の特性を測定できる。
【００２３】
［変形例］
図３および図４は、図２に記載した中性子検出器の導光体の巻き付け構造の変形例を示す説明図である。
【００２４】
図２の構成では、導光体２３Ｂ（２３Ｃ〜２３Ｅ）が波長シフトファイバであり、複数の導光体２３Ｂが減速材２１Ａ（２１Ｂ〜２１Ｅ）の外周面に鞠巻き状に巻き付けられている。かかる構成では、導光体２３Ｂを球状の減速材２１Ａに均一かつ安定的に巻き付け得る点で好ましい。
【００２５】
しかし、これに限らず、図３に示すように、複数の導光体２３Ｂが、球状の減速材２１Ａに対して緯線方向および経線方向に巻き付けられても良い。図４に示すように、複数の導光体２３Ｂが、球状の減速材２１Ａに対して経線方向にのみ巻き付けられても良い。このとき、隣り合う導光体２３Ｂ、２３Ｂが、等間隔（図３では、等しい緯度差および経度差。図４では、等しい経度差）に配置されることが好ましい。また、導光体２３Ｂ、２３Ｂの間隔は、必要な集光感度に応じて適宜設定され得る。また、中性子検出器２の全体では、各導光体２３Ａ〜２３Ｅの出力側端部は、緯度あるいは経度をずらしつつ中性子検出器２の下方から引き出されて計測器３側に接続される（図示省略）。
【００２６】
また、図１および図２の構成では、中性子検出器２の各減速材２１Ａ〜２１Ｅが相互に異なる径を有する中空の球体から成り、中性子検出器２が全体として球殻多層構造を有する球体となっている。かかる構成では、後述するように、中性子検出の方向依存性を緩和できる点で好ましい。
【００２７】
しかし、これに限らず、各減速材２１Ａ〜２１Ｅが、中空の楕円球であっても良いし、あるいは、中空の半球ないしは球殻であっても良い（図示省略）。したがって、中性子検出器２が、全体として球殻多層構造を有する楕円球、半球あるいは球殻となっても良い。また、各減速材２１Ａ〜２１Ｅが任意の曲面形状を有する板状体から成ることにより、中性子検出器２が、任意の形状の曲面多層構造を有し得る（図示省略）。
【００２８】
また、図１の構成では、中性子検出器２が、その中心部に、コア減速材２１Ａ、コアシンチレータ２２Ａおよびコア導光体２３Ａを一組としたシンチレーション検出部２１Ａ〜２３Ａを有している。このため、中性子検出器２が、全体として中実構造を有している。
【００２９】
しかし、これに限らず、中性子検出器２が、中心部のシンチレーション検出部２１Ａ〜２３Ａを省略した中空構造を有して良い（図示省略）。あるいは、中心部のコアシンチレータ２２Ａおよびコア導光体２３Ａに代えて、減速材や低速中性子を検出できる計数管（例えば、Ｈｅ３計数管）が配置されても良い（図示省略）。
【００３０】
また、図１の構成では、中性子検出器２が、５層のシンチレーション検出部２１Ａ〜２３Ａ、２１Ｂ〜２３Ｂ、２１Ｃ〜２３Ｃ、２１Ｄ〜２３Ｄ、２１Ｅ〜２３Ｅを備えている。このように、中性子検出器２が、５層以上（好ましくは、６層以上）のシンチレーション検出部を有することが好ましい。したがって、中性子検出器２が、より多層のシンチレーション検出部を有しても良い。
【００３１】
また、図１の構成では、中性子検出器２が、最外層に光遮断層２４を有している。この光遮断層２４は、例えば、遮光膜などから成り、第四減速材２１Ｅの外周面を覆って配置される。かかる構成では、光遮断層２４が外部からの光を遮断するため、外部からの光とシンチレーション検出部２１Ａ〜２３Ａの蛍光との混同による誤検出が低減されて、中性子の検出精度が向上する。
【００３２】
［効果］
以上説明したように、この中性子測定装置１は、中性子を検出する中性子検出器２を備える（図１参照）。また、中性子検出器２が、中性子を減速する減速材２１Ａ〜２１Ｅと、中性子を受けて発光するシンチレータ２２Ａ〜２２Ｅと、対応するシンチレータ２２Ａ〜２２Ｅからの光を導く導光体２３Ａ〜２３Ｅとを一組とするシンチレーション検出部２１Ａ〜２３Ａ、２１Ｂ〜２３Ｂ、２１Ｃ〜２３Ｃ、２１Ｄ〜２３Ｄ、２１Ｅ〜２３Ｅを備える。また、中性子検出器２が、複数組（図１では５組）のシンチレーション検出部２１Ａ〜２３Ａ、２１Ｂ〜２３Ｂ、２１Ｃ〜２３Ｃ、２１Ｄ〜２３Ｄ、２１Ｅ〜２３Ｅを積層して成る多層構造を有する。
【００３３】
かかる構成では、中性子検出器２に入射した中性子束が、中性子検出器２の最外層からコアに向かって各シンチレーション検出部２１Ａ〜２３Ａ、２１Ｂ〜２３Ｂ、２１Ｃ〜２３Ｃ、２１Ｄ〜２３Ｄ、２１Ｅ〜２３Ｅを透過する。このとき、各シンチレータ２２Ａ〜２２Ｅの光を各導光体２３Ａ〜２３Ｅを介してそれぞれ取得して計数することにより、中性子束の多様なエネルギー特性を１つの中性子検出器２を用いて一時に測定できる。これにより、異なるエネルギー特性に対応した複数の中性子検出器を交換しつつ測定する構成（図示省略）と比較して、中性子測定を効率的に行い得る利点がある。具体的には、中性子測定に要する作業時間を短縮でき、また、中性子検出器２の搬送を容易化できる利点がある。
【００３４】
特に、上記の構成では、各シンチレータ２２Ａ〜２２Ｅの光を各導光体２３Ａ〜２３Ｅを介してそれぞれ取得して計数できるので、正負電極間にガス体を充填した計測部と減速体とを交互に積層した構成（例えば、特許文献１参照）と比較して、信号処理時間が短く、また、中性子検出器２を小型化できる利点がある。例えば、正負電極間にガス体を充填した計数部は、中性子の検出感度を向上させるためにガス容量を十分に確保する必要がある。このため、中性子検出時の信号処理時間が長く高計数率場での測定が困難になる、あるいは、中性子検出器が大型化するため好ましくない。
【００３５】
また、この中性子測定装置１では、中性子検出器２が、複数組のシンチレーション検出部２１Ａ〜２３Ａ、２１Ｂ〜２３Ｂ、２１Ｃ〜２３Ｃ、２１Ｄ〜２３Ｄ、２１Ｅ〜２３Ｅを積層して成る球殻多層構造を有する（図１参照）。かかる構成では、中性子検出にかかる方向依存性が緩和されて、中性子検出器２の検出精度が向上する利点がある。特に、室内での中性子測定では、中性子が壁面に反射して散乱し易い。このため、上記の構成は、かかる室内での中性子測定においても中性子検出の方向依存性を緩和できる点で、特に有益である。
【００３６】
また、この中性子測定装置１では、導光体２３Ｂ（２３Ｃ〜２３Ｅ）が、波長シフトファイバであり、減速材２１Ａ（２１Ｂ〜２１Ｅ）に巻き付けられて配置される（図２参照）。かかる構成では、導光体２３Ｂを球状の減速材２１Ａに均一かつ安定的に巻き付け得る利点がある。
【００３７】
また、この中性子測定装置１では、中性子検出器２が、最外層に光遮断層２４を有する（図１参照）。かかる構成では、光遮断層２４が外部からの光を遮断するため、外部からの光とシンチレーション検出部２１Ａ〜２３Ａの蛍光との混同による誤検出が低減されて、中性子の検出精度が向上する利点がある。
【符号の説明】
【００３８】
１  中性子測定装置、２  中性子検出器、３  計測器、２１Ａ〜２１Ｅ  減速材、２２Ａ〜２２Ｅ  シンチレータ、２３Ａ〜２３Ｅ  導光体、２４  光遮断層、３１Ａ〜３１Ｅ  ＰＭＴ、３２Ａ〜３２Ｅ  波形整形回路、３３Ａ〜３３Ｅ  計数回路、３４  データ処理系
【図１】
0006004662.tif 000002
【図２】
0006004662.tif 000003
【図３】
0006004662.tif 000004
【図４】
0006004662.tif 000005